(57)【要約】【課題】  従来ジェット洗浄においてはジェット水によりミストが発生し、放射性ダストを巻き上げたが、これをなくし洗浄ハウジングと組合せた洗浄水回収ハウジングでミストを吸引回収して作業環境の維持を図ること、そして水中でのスラッジ回収の他、床面に溜まった残水をも完全に吸引回収できる洗浄及び洗浄水回収装置を提供することを課題とする。【解決手段】  ジェット洗浄及び洗浄水回収装置であって、該ジェット洗浄及び洗浄水回収装置は高圧洗浄機から送られた高圧水の高圧スプレーノズル３を有する洗浄ハウジング６と、エジェクタ機構７を備えた前記洗浄ハウジング６内で洗浄した洗浄水を回収排出する洗浄水回収ハウジング８を組み合わせた構造であって、前記洗浄ハウジングと前記洗浄水回収ハウジングは底部で連通し、前記洗浄ハウジングへの高圧水と前記洗浄水回収ハウジングへの高圧水は切替弁を介し切替えて使用可能とし、前記洗浄ハウジング内でのジェット洗浄時に発生した排水と、ミストを前記洗浄水回収ハウジングにおいて前記エジェクタ機構７で吸引し排出するようにした。【選択図】      図１
2005169195.tif 000002
【特許請求の範囲】
【請求項１】
ジェット洗浄及び洗浄水回収装置であって、
該ジェット洗浄及び洗浄水回収装置は高圧洗浄機から送られた高圧水の高圧スプレーノズルを有する洗浄ハウジングと、前記洗浄ハウジング内で洗浄した洗浄水を回収排出するエジェクタ機構を備えた洗浄水回収ハウジングを組み合わせた構造であり、
前記洗浄ハウジングと前記洗浄水回収ハウジングは底部で連通し、
前記洗浄ハウジングへの高圧水と前記洗浄水回収ハウジングへの高圧水は切替弁を介し切替えて使用可能とし、
前記洗浄ハウジング内でのジェット洗浄時に発生した排水と、ミストを前記洗浄水回収ハウジングにおいて前記エジェクタ機構で吸引し排出するようにしたことを特徴とするジェット洗浄及び洗浄水回収装置。
【請求項２】
前記洗浄ハウジングは被洗浄面に向って末広がり状をなし、前記洗浄ハウジングの頂部にスプレーノズルを有し、又前記洗浄水回収ハウジングは頂部にエジェクタ機構を有し、高圧洗浄機から洗浄ハウジングへの高圧水配管と、洗浄水回収ハウジング内のエジェクタ装置からの排出ホースとを平行配置し、両ハウジングへの高圧水の前記切換え弁による切換えを容易にしたことを特徴とする請求項１記載のジェット洗浄水回収装置。
【請求項３】
前記排水ホースの末端にフィルターハウジングを設けた請求項１記載のジェット洗浄水回収装置。
【発明の詳細な説明】
【技術分野】
【０００１】
本発明は、高圧水による洗浄装置のスプレーガンを備えた洗浄ハウジングと、エジェクタを備えた洗浄水回収ハウジングとを取り付け、洗浄ハウジングの洗浄水を回収ハウジング内に通し、回収ハウジング内のエジェクタで回収した洗浄水をバグフィルターで濾過し廃出するジェット洗浄及び洗浄水回収装置に関するものである。
【背景技術】
【０００２】
従来、研磨材を高圧水と混合して噴射する高圧水ジェット利用加工装置において、ジェット流のエジェクタ効果を利用して、研磨材と高圧水を吸引し、分離器により研磨材を回収するウォータジェット加工装置の廃液処理装置はしられている（特許文献１参照。）。
【０００３】
又、ウォータジェット加工装置のノズルからの研磨材混合廃液を受けるキャッチタンクと、研磨材を沈降分離させる沈降タンクとを有し、キャッチタンクから沈降タンクに連通する水管路に圧力流体を噴射することでキャッチタンクから沈降タンクへ移送する流れを発生させる移送用エジェクタ手段を備え研磨材回収装置（特許文献２参照。）もしられている。
【０００４】
これら技術は、研磨材の回収のためにエジェクタを利用するものである。
【０００５】
このような従来型の高圧水を用いた洗浄装置では、ジェット洗浄時に多量のミストが発生し視界を悪化させたり、ＲＩ施設等ではダスト発生を増幅し作業環境を低下させること、そして高圧水を用いて洗浄しても底部は水はけが悪いので、汚れた残水で再び汚染させてしまうこと等の問題があった。
【０００６】
このため、事前に底部に溜まった残水を回収し、次にジェット洗浄を行う。再び、ジェット洗浄で噴射した洗浄水を回収する必要があった。
【０００７】
さらに、従来の残水回収でポンプを用いると、残水中に異物（固形物）があるとポンプを閉塞させたり、エンペラー等に損傷を与えた。
【０００８】
さらに又、通常のポンプでは、水位が低くなると、空気を吸引し、残水まで吸引することができなかった。
【特許文献１】特開平７−１４８６６５号公報
【特許文献２】特開２００１−２６００３０号公報
【発明の開示】
【発明が解決しようとする課題】
【０００９】
本発明は、上記従来技術の問題点を改良し、ジェット洗浄ハウジングと洗浄水回収ハウジングを組合せて連接し、ジェット洗浄装置においてジェット水で洗浄した洗浄水と、ミストや巻き上げた放射性ダストを洗浄水回収装置で吸引回収して作業環境の維持を図ること、そして水中でのスラッジ回収の他、床面に溜まった残水をも完全に吸引回収できる洗浄及び洗浄水回収装置を提供することを課題とする。
【課題を解決するための手段】
【００１０】
ジェット洗浄及び洗浄水回収装置であって、
該ジェット洗浄及び洗浄水回収装置は高圧洗浄機から送られた高圧水の高圧スプレーノズルを有する洗浄ハウジングと、前記洗浄ハウジング内で洗浄した洗浄水を回収排出するエジェクタ機構を備えた洗浄水回収ハウジングを組み合わせた構造であり、
前記洗浄ハウジングと前記洗浄水回収ハウジングは底部で連通し、
前記洗浄ハウジングへの高圧水と前記洗浄水回収ハウジングへの高圧水は切替弁を介し切替えて使用可能とし、
前記洗浄ハウジング内でのジェット洗浄時に発生した排水と、ミストを前記洗浄水回収ハウジングにおいて前記エジェクタ機構で吸引し排出するようにした。
また、前記洗浄ハウジングは被洗浄面に向って末広がり状をなし、前記洗浄ハウジングの頂部にスプレーノズルを有し、さらに前記洗浄水回収ハウジングは頂部にエジェクタ機構を有し、高圧洗浄機から洗浄ハウジングへの高圧水配管と、洗浄水回収ハウジング内のエジェクタ装置からの排出ホースとを平行配置し、両ハウジングへの高圧水の前記切換え弁による切換えを容易にした。
そして、前記排水ホースの末端にフィルターハウジングを設けた。
【発明の効果】
【００１１】
従来のジェット洗浄では、ジェット水によりミストを発生し、放射性ダストを巻き上げたが、洗浄ハウジングと洗浄水回収ハウジングを組合せ、洗浄ハウジング内で巻き上げたミスト等を吸引回収するので、良好な作業環境を維持できる。
【００１２】
又、洗浄水回収ハウジング内でのエジェクタ機構により水中でのスラッジ回収の他、床面に溜まった残水を完全に吸引回収できる。
【００１３】
さらに従来は、重装備（ＰＶＣスーツ、全面マスク着用）による人手によるジェット洗浄作業と残水回収をしいられたが、本発明により、洗浄と回収作業をも同時にでき、作業員の負担を軽減できるようになった。
【００１４】
又、ピット等の異物や汚泥が堆積した水も真空で吸引するので回収することが容易にできる。
【発明を実施するための最良の形態】
【００１５】
図１は、水抜後のプール、ピットあるいはタンクの底部に付着した汚れを除去・回収する装置の概略系統図である。洗浄水は高圧ポンプ１で高圧水となって分岐管２で分岐され、一方は高圧スプレーノズル３への流水と、高圧洗浄水の切替弁４を経てエジェクタノズル５への流れに分岐される。高圧スプレーノズル３は、汚れた洗浄ハウジング６の底部を洗浄すべく底部で連通している洗浄ハウジング６内へ高圧水を吐出す。
【００１６】
洗浄水回収ハウジング８内では、エジェクタノズル５から噴出した水は、エジェクタ機構７内通って排水ホース９に高圧水と回収ハウジング８で回収した水と共に送られ、バグフィルターハウジング１０に送られ、ここでバグフィルター１１で濾過される。
【００１７】
エジェクタ機構７は、図３に示すように、高圧水をエジェクタ機構７に噴出することにより洗浄水回収ハウジング８を負圧にし、高圧洗浄で発生したミストや洗浄後の排水や底部に残っていた残水を吸引し、エジェクタ５から吐出された水をエジェクタ源として噴射された水で圧送され移送される。
【００１８】
高圧水と同時に回収された汚水は、排水ホース９を経由してバグフィルター１１等のフィルタで濾過回収する。
【００１９】
エジェクタ部の構成を図３でより詳細に示す。
ジェット洗浄・回収器は、高圧洗浄器１２から供給された高圧水をランス１３で開閉し、洗浄ノズル３から吐出し洗浄水回収ハウジング８内で底部を洗浄する。また、高圧水はエジェクタ吐出用として、切替弁４を経てエジェクタノズル５からエジェクタ７に向かい高圧で吐出される、このとき、洗浄水回収ハウジング８内は、エジェクタ効果により真空となり、ジェット洗浄後の水やジェット洗浄で発生したミストを吸引するのと共に、底部に溜まった残水をも吸引し、排水ホース９に送る。
【００２０】
エジェクタ機構７は、エジェクタ内径を変えることにより大流量・低揚程型と低流量・高揚程型等に変更することができる。
【００２１】
回収された残水やジェット洗浄水は、付属のフィルタ１１で濾過回収できる。
なお、図２は、回収専用器で、高圧洗浄機構１２は省き、高圧水を全て、エジェクタに供給することにより、回収性能を向上させたものである。
図３で、１３はハウジングシール用ブラシ又はゴム板で、これらにより洗浄水回収ハウジング８の底部をシールする。
【００２２】
図４は、洗浄水回収ハウジング８の外形を示す立体斜視図、図５は同じく上面図（図４のＡ矢視図）の例である。洗浄ハウジング６は図４の如く、側面視略三角形をなした一定幅ｗの洗浄ハウジング６と、洗浄ハウジング６の前面にこれと一体に出張った中空の洗浄水回収ハウジング８が形成されている。そして洗浄ハウジング６の頂部平面部６’にスプレーノズル３が取り付けられ、回収ハウジング８の頂部平面部８’にエジェクタ７が設けられている。５’は頂部平面部８’に設けたエジェクタノズル５からの噴出水の出口である。ハウジングの下部底面の曲線部にはワンタッチゴムパッキン１３を取り付け、洗浄面に密接に接し、シールするようになっている。
【００２３】
図６、図７は、バグフィルタ部の詳細を示し、エジェクタ７のジェット回収治具１４から送り出された回収水とジェット洗浄水１５はレバーロックカプラ１６を経て、バグフィルタ１１の上蓋１７、下蓋１８の開口を経てバグフィルタ１１内に進入し、濾過水となって放出される。
【００２４】
バグフィルタ１１の上蓋１７と下蓋１８は図の例ではボルト２０を以て下から逆に８内のシールアップボルト１９で締め付けられている。２１はアイボルトである。
【図面の簡単な説明】
【００２５】
【図１】本発明に係るジェット洗浄・回収装置の系統図。
【図２】ジェット洗浄・回収器の側面図。
【図３】エジェクタの構造を示す図。
【図４】洗浄ハウジング及び洗浄水回収ハウジングの立体斜視図。
【図５】図４のＡ矢視平面図。
【図６】フィルタハウジング。
【図７】図６の上面図。
【符号の説明】
【００２６】
１  高圧ポンプ                      ２  分岐管
３  高圧洗浄ノズル                  ４  切替弁
５  エジェクタノズル                ６  洗浄ハウジング
７  エジェクタ機構                  ８  洗浄水回収ハウジング
９  排水ホース                      10  ロープ
11  バグフィルタ                    12  高圧洗浄機
13  ランス                          14  ジェット回収治具
15  ジェット洗浄水                  16  レバーロックカプラ
17  上蓋                            18  下蓋
19  シールアップボルト              20  ボルト
21  アイボルト
【図１】
2005169195.tif 000003
【図２】
2005169195.tif 000004
【図３】
2005169195.tif 000005
【図４】
2005169195.tif 000006
【図５】
2005169195.tif 000007
【図６】
2005169195.tif 000008
【図７】
2005169195.tif 000009